(57)【要約】【課題】画像形成装置が備える二重扉構造において、セキュリティ性と操作性を両立させる。【解決手段】画像形成装置Ａ本体に対して開閉可能な内扉２５及び外扉１０１と、内扉２５と画像形成装置Ａ本体とを連結して内扉２５を閉状態とし、連結を解除することによって内扉２５を開状態とするローラキャッチ１０４と、内扉２５の回動を規制して内扉２５を閉状態に固定する南京錠１０５ａを取り付けるための孔１０２と、内扉２５と外扉１０１とを連結して外扉１０１を閉状態とするために内扉２５と外扉１０１とを連結する磁石体１０３と、を備え、外扉１０１と南京錠１０５ａによって回動が規制された内扉２５との磁石体１０３による連結は、外扉１０１の閉状態から開状態への回動動作によって解除され、南京錠１０５ａによって回動が規制されていない内扉２５は、磁石体１０３によって外扉１０１に連結された状態で外扉１０１の閉状態から開状態への回動動作によって閉状態から開状態に移行する。【選択図】図６
2018120133.tif 000002
【特許請求の範囲】
【請求項１】
画像を形成する画像形成部を備える画像形成装置において、
データを記憶する記憶装置であって前記画像形成装置本体に着脱可能な記憶装置が装着される装着部と、
データを受け取るために外部装置が接続される接続部と、
前記データに基づいて前記画像形成部に画像形成動作を実行させる制御部と、
前記画像形成装置本体に軸支され、軸支された部分を中心に回動することによって前記画像形成装置本体に対して開閉可能な第１カバー部材であって、閉状態において前記接続部をカバーせずに前記装着部に装着された前記記憶装置をカバーし、開状態において前記装着部を開放して前記装着部に前記記憶装置を着脱可能な位置に軸支される第１カバー部材と、
前記画像形成装置本体に軸支され、軸支された部分を中心に回動することによって前記画像形成装置本体に対して開閉可能な第２カバー部材であって、閉状態において閉状態の前記第１カバー部材および前記接続部をカバーし、開状態において前記第１カバーが回動可能となり、かつ前記接続部が外部に露出するように軸支される第２カバー部材と、
前記第１カバー部材と前記画像形成装置本体とを連結して前記第１カバー部材を閉状態とし、当該連結を解除することによって前記第１カバー部材を開状態とし、前記連結及び前記解除が自在な第１機構と、
前記第１カバー部材の回動を規制して前記第１カバー部材を閉状態に固定する規制手段を取り付けるための取付部と、
前記第１カバー部材と前記第２カバー部材とを連結して前記第２カバー部材を閉状態とするために前記第１カバー部材と前記第２カバー部材とを連結する第２機構と、
を備え、
前記第２カバー部材と前記規制手段によって回動が規制された前記第１カバー部材との前記第２機構による連結は、前記第２カバー部材の閉状態から開状態への回動動作によって解除され、
前記規制手段によって回動が規制されていない前記第１カバー部材は、前記第２機構によって前記第２カバー部材に連結された状態で前記第２カバー部材の閉状態から開状態への回動動作によって閉状態から開状態に移行することを特徴とする画像形成装置。
【請求項２】
前記規制手段は南京錠であり、前記取付部は該南京錠を取り付けるための孔であることを特徴とする請求項１に記載の画像形成装置。
【請求項３】
前記規制手段はビスであり、前記取付部は該ビスを挿入するための穴であることを特徴とする請求項１に記載の画像形成装置。
【請求項４】
前記記憶装置は、ハードディスクドライブであることを特徴とする請求項１乃至３のいずれか１項に記載の画像形成装置。
【請求項５】
前記接続部は、ＵＳＢポートであることを特徴とする請求項１乃至４のいずれか１項に記載の画像形成装置。
【請求項６】
前記第１機構は、ローラキャッチであることを特徴とする請求項１乃至５のいずれか１項に記載の画像形成装置。
【請求項７】
前記第２機構は磁石体であり、磁力によって前記第２カバー部材を前記第１カバー部材と連結させることを特徴とする請求項１乃至６のいずれか１項に記載の画像形成装置。
【請求項８】
前記第１カバー部材は金属製であることを特徴とする請求項１乃至７のいずれか１項に記載の画像形成装置。
【請求項９】
前記第２カバー部材は樹脂製であることを特徴とする請求項１乃至８のいずれか１項に記載の画像形成装置。
【発明の詳細な説明】
【技術分野】
【０００１】
本発明は、電子写真複写機、電子写真プリンタ（例えばレーザビームプリンタ、ＬＥＤプリンタ等）、インクジェットプリンタなどの画像形成装置が備える扉の開閉機構に関する。
【背景技術】
【０００２】
画像読取機能や印刷機能に加えて、通信網を介して他機又は端末と通信して書画をやり取りする書画伝送機能を備えるデジタル複合機等の画像形成装置においては、近年、カラー化、高速化が進んできている。このため、大量の画像データを高速に記憶読取可能にする大容量記憶装置の必要性が高くなってきている。
【０００３】
この大容量記憶装置には、大量の画像データが蓄積されるため、蓄積されるデータの機密性の観点から定期的に大容量記憶装置を画像形成装置本体から抜出して保管するというユーザニーズがある。これを受け、画像形成装置において、装置本体に対して挿抜可能なリムーバブル大容量記憶装置を有する構成が多くなってきている。
【０００４】
リムーバブル大容量記憶装置は機密性の高い情報を記憶している。そこで特許文献１にも記載されている通り、リムーバブル大容量記憶装置（ハードディスクドライブ）が挿抜作業時以外に露出しないように、扉によってリムーバブル大容量記憶装置を覆うことでセキュリティ性を確保する構成が一般的となっている。
【先行技術文献】
【特許文献】
【０００５】
【特許文献１】特開２０１５−３２６８１号公報
【発明の概要】
【発明が解決しようとする課題】
【０００６】
リムーバブル大容量記憶装置は、画像コントローラとデータの送受信を行うため、画像コントローラ近傍に配設されることが望ましい。また画像コントローラには、印刷用画像データの入力や最新バージョンのファームウェアやオプションソフトのインストールを行うためのＵＳＢポートや外部入力系統用のＬＡＮポートなどのユーザがアクセスするインターフェースが配設される。
【０００７】
ここで画像形成装置においては、各ユニットおよび装置全体を樹脂製の外装カバーで覆う構成が一般的である。また上述した通り、リムーバブル大容量記憶装置に関しては、情報保護の観点からリムーバブル大容量記憶装置が挿抜作業時以外に露出しないように開閉カバーで覆われる構成が一般的である。このため、リムーバブル大容量記憶装置を画像コントローラ近傍に配設する構成では、リムーバブル大容量記憶装置を包囲する内扉と、画像コントローラに配設されたＵＳＢポートやＬＡＮポートなどのインターフェースが外扉によって包囲されることになる。
【０００８】
またリムーバブル大容量記憶装置は機密性の高い情報を記憶しているため、セキュリティの観点から内扉を南京錠などで施錠して開放を規制するユーザが存在する。このため、内扉と外扉の二重扉構造を備える構成では、内扉を施錠するユーザは、ＬＡＮポートやＵＳＢポートにアクセスする際に外扉のみ開放し、リムーバブル大容量記憶装置の挿抜の際は、外扉を開放した後に内扉の施錠を解除して開放を行うことになる。一方、内扉を施錠しないユーザは、ＬＡＮポートやＵＳＢポートにアクセスする際に外扉のみ開放し、リムーバブル大容量記憶装置を挿抜する際は外扉を開放した後に内扉の開放を行うことになる。
【０００９】
つまりこのような構成では、セキュリティ性を重視しないユーザにとっては、リムーバブル大容量記憶装置の挿抜作業時に外・内扉の２つの扉の開閉を行わなくてはならず操作性が悪くなる。一方、操作性を重視して外・内扉を単に同時開放させる構成ではセキュリティ性が失われる。このように従来の構成では、一方のユーザの要望しか満足させることができない。
【００１０】
そこで本発明はこのような現状に鑑みてなされたものであり、セキュリティ性と操作性を両立した二重扉構造を備える画像形成装置を提供することを目的とする。
【課題を解決するための手段】
【００１１】
上記目的を達成するための本発明に係る画像形成装置の代表的な構成は、画像を形成する画像形成部を備える画像形成装置において、データを記憶する記憶装置であって前記画像形成装置本体に着脱可能な記憶装置が装着される装着部と、データを受け取るために外部装置が接続される接続部と、前記データに基づいて前記画像形成部に画像形成動作を実行させる制御部と、前記画像形成装置本体に軸支され、軸支された部分を中心に回動することによって前記画像形成装置本体に対して開閉可能な第１カバー部材であって、閉状態において前記接続部をカバーせずに前記装着部に装着された前記記憶装置をカバーし、開状態において前記装着部を開放して前記装着部に前記記憶装置を着脱可能な位置に軸支される第１カバー部材と、前記画像形成装置本体に軸支され、軸支された部分を中心に回動することによって前記画像形成装置本体に対して開閉可能な第２カバー部材であって、閉状態において閉状態の前記第１カバー部材および前記接続部をカバーし、開状態において前記第１カバーが回動可能となり、かつ前記接続部が外部に露出するように軸支される第２カバー部材と、前記第１カバー部材と前記画像形成装置本体とを連結して前記第１カバー部材を閉状態とし、当該連結を解除することによって前記第１カバー部材を開状態とし、前記連結及び前記解除が自在な第１機構と、前記第１カバー部材の回動を規制して前記第１カバー部材を閉状態に固定する規制手段を取り付けるための取付部と、前記第１カバー部材と前記第２カバー部材とを連結して前記第２カバー部材を閉状態とするために前記第１カバー部材と前記第２カバー部材とを連結する第２機構と、を備え、前記第２カバー部材と前記規制手段によって回動が規制された前記第１カバー部材との前記第２機構による連結は、前記第２カバー部材の閉状態から開状態への回動動作によって解除され、前記規制手段によって回動が規制されていない前記第１カバー部材は、前記第２機構によって前記第２カバー部材に連結された状態で前記第２カバー部材の閉状態から開状態への回動動作によって閉状態から開状態に移行することを特徴とする。
【発明の効果】
【００１２】
本発明によれば、画像形成装置が備える二重扉構造において、セキュリティ性と操作性を両立させることができる。
【図面の簡単な説明】
【００１３】
【図１】画像形成装置の断面概略図である。
【図２】電装ユニットの拡大斜視図である。
【図３】外扉を取り外した状態の電装ユニットの左側面図である。
【図４】南京錠を取り付けた状態の電装ユニットの拡大斜視図である。
【図５】南京錠が取り付けられていない状態の外扉と内扉の連結部分の拡大斜視図である。
【図６】南京錠が取り付けられた状態の外扉と内扉の連結部分の拡大斜視図である。
【図７】外扉が開放された状態の電装ユニットの斜視図である。
【発明を実施するための形態】
【００１４】
（第１実施形態）
＜画像形成装置＞
以下、本発明に係る画像形成装置Ａの全体構成を画像形成時の動作とともに図面を参照しながら説明する。なお、記載されている構成部品の寸法、材質、形状、その相対配置などは、特に特定的な記載がない限りは、この発明の範囲をそれらのみに限定する趣旨のものではない。
【００１５】
画像形成装置Ａは、イエローＹ、マゼンダＭ、シアンＣ、ブラックＫの４色のトナーを中間転写ベルトに転写した後、シートに画像を転写して画像を形成する中間転写タンデム方式のカラー画像形成装置である。なお、以下の説明において、上記各色のトナーを使用する部材には添え字としてＹ、Ｍ、Ｃ、Ｋを付するものの、各部材の構成や動作は使用するトナーの色が異なることを除いて実質的に同じであるため、区別を要する場合以外には添え字を適宜省略する。
【００１６】
図１に示す様に、画像形成装置Ａは、シートＰにトナー像を転写してシート上に画像を形成する画像形成部と、画像形成部へシートを供給するシート給送部と、シートＰにトナー像を定着させる定着部を備える。
【００１７】
画像形成部は、感光体ドラム１（１Ｙ、１Ｍ、１Ｃ、１Ｋ）と、感光体ドラム１表面を帯電させるコロナ帯電器２（２Ｙ、２Ｍ、２Ｃ、２Ｋ）を備える。またレーザスキャナユニット３（３Ｙ、３Ｍ、３Ｃ、３Ｋ）、現像装置４（４Ｙ、４Ｍ、４Ｃ、４Ｋ）、ドラムクリーナ５（５Ｙ、５Ｍ、５Ｃ、５Ｋ）、中間転写ユニット８０を備える。
【００１８】
中間転写ユニット８０は、一次転写ローラ８（８Ｙ、８Ｍ、８Ｃ、８Ｋ）、中間転写ベルト７、二次転写ローラ１４、二次転写対向ローラ８１、駆動ローラ８３、テンションローラ８２、ベルトクリーナ９等を備える。中間転写ベルト７は、一次転写ローラ８、二次転写対向ローラ８１、テンションローラ８２、駆動ローラ８３に張架された無端円筒状のベルトであり、駆動ローラ８３の回転に従動して感光体ドラム１の回転速度と対応した速度で周回移動を行う。
【００１９】
また画像形成装置Ａの上部には、電装ユニット１００が搭載されている。電装ユニット１００は、ＣＰＵやメモリ等の電子デバイスを搭載する画像コントローラ２４（制御部）とハードディスクドライブ２０（記憶装置）を備える。
【００２０】
ＣＰＵは画像形成装置Ａの制御全体を司るマイクロプロセッサであり、システムコントローラの主体である。メモリは、複数種のバス規格間をブリッジする際の速度差や、接続された部品自体の処理速度差を吸収するために、一時的にやりとりするデータの記憶や、ＣＰＵが画像形成装置の制御を行う際にプログラムや中間処理データを一時的に記憶する揮発性メモリである。
【００２１】
ハードディスクドライブ２０は、デスクトップパソコンにも使用されている電子データを保存するための大容量記憶装置であり、主に画像処理プログラムやデジタル画像データやその付帯情報を蓄積する。また画像形成時にはハードディスクドライブ２０から画像データが読み出される。本実施形態では、ハードディスクドライブ２０を画像形成装置Ａ本体に挿抜して簡単に着脱可能なリムーバブルシステムを採用する。
【００２２】
次に、画像形成動作について説明する。まず画像コントローラ２４が搭載するＣＰＵが画像形成ジョブ信号を受信すると、給紙カセット１０に積載収納されたシートＰが給送ローラ１１により搬送路１２ａを介してレジストローラ１３に搬送される。レジストローラ１３は、所定のタイミングでシートＰを二次転写ローラ１４と二次転写対向ローラ８１から形成される二次転写部に搬送する。
【００２３】
一方、画像形成部においては、まずコロナ帯電器２により感光体ドラム１表面を帯電させる。その後、不図示の外部機器等から送信された画像信号に応じてレーザスキャナユニット３が感光体ドラム１表面にレーザ光を照射し、感光体ドラム１表面に静電潜像を形成する。
【００２４】
その後、現像装置４により感光体ドラム１表面に形成された静電潜像にトナーを付着させ、感光体ドラム１表面にトナー像を形成する。感光体ドラム１表面に形成されたトナー像は、感光体ドラム１と一次転写ローラ８から形成される一次転写部に送り込まれる。一次転写部に送り込まれた各色のトナー像は、一次転写ローラ８にトナーの帯電極性と逆極性の一次転写バイアスが印加されることで中間転写ベルト７にそれぞれ一次転写され、これにより中間転写ベルト７表面にフルカラーのトナー像が形成される。
【００２５】
その後、トナー像は中間転写ベルト７の回転により二次転写部に送られる。そして二次転写部において二次転写ローラ１４にトナーの帯電極性と逆極性の二次転写バイアスが印加されることで、中間転写ベルト７上のトナー像がシートＰに転写される。
【００２６】
トナー像が転写されたシートＰは、定着装置１５に送られ、定着装置１５によって加熱、加圧されてトナー像がシートＰに定着される。その後、シートＰ片面にのみ画像を形成する場合には、定着装置１５から排出されたシートＰは切換フラッパ１６により排出ローラ１７に案内され、排出ローラ１７によって画像形成装置Ａの側面に設けられている排出トレイ１８上に排出される。
【００２７】
一方、シートＰ両面に画像を形成する場合には、定着装置１５から排出されたシートＰを切換フラッパ１６で下方の反転搬送路１２ｂに案内する。その後、シートＰは反転搬送路１２ｂにおいて後端が反転ポイントＲｐに達したとき逆方向に搬送され、表裏を反転された状態で両面用搬送路１２ｃ、搬送路１２ａを介してレジストローラ１３に再度搬送される。その後、上記同様にシートＰの裏面に画像形成を行い、定着装置１５を通過後にシートＰは排出トレイ１８上に排出される。
【００２８】
なお、一次転写後に感光体ドラム１表面に残留したトナーは、ドラムクリーナ５に掻き取られて除去される。また二次転写後に中間転写ベルト７に残留したトナーは、ベルトクリーナ９に掻き取られて除去される。
【００２９】
＜電装ユニット＞
次に、電装ユニット１００の構成についてさらに詳しく説明する。
【００３０】
電装ユニット１００は、画像形成装置Ａの外装カバーを構成する樹脂製の外扉１０１（第２カバー部材）に覆われており、外扉１０１の内側には金属製の内扉２５（第１カバー部材）が配設されている。つまり電装ユニット１００は、外扉１０１と内扉２５による二重扉構造を備えている。なお、外扉１０１と内扉２５は、いずれもヒンジによって画像形成装置Ａ本体（画像形成装置本体）に対して軸支され、ヒンジを中心に回動することで画像形成装置Ａ本体に対して開閉可能に構成されている。
【００３１】
図２は、電装ユニット１００の拡大斜視図である。ここで図２（ａ）は外扉１０１を閉鎖した状態、図２（ｂ）は外扉１０１を開放した状態をそれぞれ示す。また図３は、外扉１０１を取り外した状態の電装ユニット１００の左側面図である。ここで図３（ａ）は内扉２５が閉鎖した状態を示し、図３（ｂ）は内扉２５を開放した状態を示す。
【００３２】
図２、図３に示す様に、電装ユニット１００には、画像コントローラ２４とハードディスクドライブ２０の挿入口（装着部）が隣接して配置されている。
【００３３】
画像コントローラ２４は、前述した通り、ＣＰＵやメモリ等の電子デバイスを搭載する。さらに画像コントローラ２４には、印刷用画像データの入力や最新バージョンのファームウェアやオプションソフトのインストール等、データを受け取るために外部装置としてのＵＳＢメモリが接続されるＵＳＢポート２０１（接続部）が設けられている。このデータに基づいて上記画像形成動作を実行させることができる。また画像コントローラ２４には、外部入力系統用のＬＡＮポート２００も設けられている。なお、画像コントローラ２４にＵＳＢポート２０１以外の外部装置の接続部を配置してもよい。
【００３４】
内扉２５は、閉状態ではＵＳＢポート２０１をカバーせずに画像形成装置Ａに装着されたハードディスクドライブ２０をカバーし、開状態ではハードディスクドライブ２０の装着部を開放状態にしてハードディスクドライブ２０が着脱可能となる位置に軸支される。また外扉１０１は、閉状態では閉状態の内扉２５及びＵＳＢポート２０１をカバーし、開状態では内扉２５を回動可能な状態とし、且つ、ＵＳＢポート２０１が外部に露出する位置に軸支される。つまりユーザは、外扉１０１のみを開放する場合、内扉２５と画像コントローラ２４にアクセスすることができ、内扉２５を開放するとハードディスクドライブ２０にアクセスすることができる。
【００３５】
またハードディスクドライブ２０のようなディスク状の記憶媒体においては、磁気ディスクの回転が急激に停止した場合や大きな振動が生じた場合、磁気ディスク表面に磁気ヘッドが接触すると磁気ディスク表面に機械的な損傷が生じる。この場合、その位置に保存されていた情報は永久に消失してしまう。この現象はヘッドクラッシュなどと呼ばれる。特に、その損傷がある程度大きくなると、データの消失のみには収まらずに、ハードディスク本体の磁気ヘッドもしくはハードディスク本体のドライブ部分が二度と使用できない状態になる可能性がある。つまり、ハードディスクドライブ２０は大量のデータについて記憶・読み出しをランダムにできるという点で非常に優れているが、他の記憶媒体と比較して、振動から受ける影響が大きいという問題点がある。そこで本実施形態では、ハードディスクドライブ２０を二つ使用したミラーリングシステムを採用する。このミラーリングシステムは、ハードディスクドライブ２０の突発的な破壊や確率的な寿命による記憶情報の喪失等に対する対策として、二つ以上の記憶媒体に対して同一の情報を記憶しておき、一方で何らかの問題が生じても他方でそれを補うシステムである。
【００３６】
＜外扉と内扉の開閉構成＞
次に、外扉１０１と内扉２５の開閉構成について説明する。
【００３７】
図２（ｂ）に示す様に、外扉１０１の内側面には、外扉１０１を内扉２５に対して連結させる第２機構としての磁石体１０３が不図示のビスによって固定されている。磁石体１０３は、磁力によって外扉１０１を金属製の内扉２５に対して連結させる。つまり磁石体１０３は、外扉１０１を閉状態にするために、外扉１０１と内扉２５を連結する部材である。
【００３８】
図３（ｂ）に示す様に、内扉２５の内側面と、画像コントローラ２４の表面には、内扉２５を閉鎖するために画像形成装置Ａ側の画像コントローラ２４に対して連結する第１機構としてのローラキャッチ１０４（１０４ａ、１０４ｂ）が設けられている。ローラキャッチ１０４は、不図示のビスによって固定されている。ここで内扉２５側に取り付けられたローラキャッチ１０４ａはメス側に相当し、画像コントローラ２４側に取り付けられたローラキャッチ１０４ｂはオス側に相当する。つまりローラキャッチ１０４ｂはローラキャッチ１０４ａと連結・解除が自在に構成されており、連結することで内扉２５を閉状態とし、解除することで内扉２５を開状態とする。
【００３９】
また外扉１０１を内扉２５に対して連結する磁石体１０３の連結力は、内扉２５を画像形成装置Ａ本体側の画像コントローラ２４に対して連結するローラキャッチ１０４の連結力よりも大きくなるように構成されている。
【００４０】
また内扉２５の突起部分、及び、画像コントローラ２４の突起部分には、内扉２５の開放を規制する規制手段としての南京錠１０５ａを取り付けるための孔１０２（取付部）が設けられている。画像コントローラ２４に設けられた孔１０２は、内扉２５を閉鎖する際に内扉２５に形成された開口１０７を通って内扉２５の外側に露出する。ユーザは、図４に示す様に、これらの孔１０２に南京錠１０５ａを通して取り付けることで内扉２５の開放を規制することができる。
【００４１】
次に、外扉１０１と内扉２５の開放時の動作について説明する。
【００４２】
図５は、南京錠１０５ａが取り付けられていない状態の外扉１０１と内扉２５の連結部分の拡大斜視図である。ここで図５（ａ）は外扉１０１と内扉２５が閉鎖された状態を示し、図５（ｂ）は外扉１０１と内扉２５が開放された状態を示す。
【００４３】
前述した通り、外扉１０１を内扉２５に対して連結する磁石体１０３の連結力は、内扉２５を画像コントローラ２４に対して連結するローラキャッチ１０４の連結力によりも大きく構成されている。このため、図５に示す様に、ユーザが外扉１０１を開放する際、まず外扉１０１及び内扉２５に作用する開放力がローラキャッチ１０４の連結力を越えることで内扉２５が開放される。このとき、磁石体１０３の連結力は維持されるため、外扉１０１が内扉２５に対して連結された状態は維持され、内扉２５とともに外扉１０１も開放される。
【００４４】
図６は、南京錠１０５ａを取り付けた状態の外扉１０１と内扉２５の連結部分の拡大斜視図である。ここで図６（ａ）は外扉１０１と内扉２５が閉鎖された状態を示し、図６（ｂ）は外扉１０１が開放された状態を示す。
【００４５】
図６に示す様に、南京錠１０５ａを取り付けた状態では、ユーザが外扉１０１を開放する際に外扉１０１及び内扉２５に作用する開放力がローラキャッチ１０４の連結力を越えた場合でも、南京錠１０５ａにより内扉２５の開放は規制される。このため、外扉１０１に作用する開放力が磁石体１０３の連結力を越えたときに外扉１０１のみが開放される。
【００４６】
つまり外扉１０１と南京錠１０１ａによって回動が規制された内扉２５との磁石体１０３による連結は、外扉１０１の閉状態から開状態への回動動作によって解除される。また南京錠１０１ａによって回動が規制されていない内扉２５は、磁石体１０３によって外扉１０１に連結された状態で外扉１０１の閉状態から開状態への回動動作によって閉状態から開状態に移行する。
【００４７】
このように外扉１０１を内扉２５に連結する磁石体１０３の連結力を内扉２５を閉鎖した状態で連結するローラキャッチ１０４の連結力より大きくして外扉１０１と内扉２５の同時開閉を可能にすることで、扉開閉時の操作性を向上させることができる。また南京錠１０５ａを取り付けるための孔１０２を設けることで、ユーザは南京錠１０５ａを任意で取り付けて内扉２５の開放を規制することができ、セキュリティ性を確保することができる。つまりこのような構成により、ユーザは外扉１０１と内扉２５の二重扉構造において２つの開閉モードを選択することができ、二重扉構造においてセキュリティ性と操作性を両立させることができる。
【００４８】
（第１変形例）
次に本実施形態の第１変形例として、内扉２５の開放を規制する規制手段を南京錠１０５ａからビス１０５ｂに変更した構成について説明する。
【００４９】
図７は、第１変形例に係る電装ユニット１００の斜視図である。図７に示す様に、第１変形例の構成では、内扉２５にビス穴１０８ａ（取付部）を設け、画像コントローラ２４にタップ加工穴１０８ｂ（取付部）を設ける。ユーザは、ビス１０５ｂをビス穴１０８ａを介して画像コントローラ２４側のタップ加工穴１０８ｂに挿入して取り付けることで、内扉２５の開閉を規制することができる。
【００５０】
これによりビス１０５ｂを取り付けていない場合には外扉１０１と内扉２５が同時開閉されるのに対し、ビス１０５ｂを取り付けた場合には内扉２５の開閉が規制されて外扉１０１のみ開閉される。つまりこのような構成により、ユーザは外扉１０１と内扉２５の二重扉構造において２つの開閉モードを選択することができ、二重扉構造においてセキュリティ性と操作性を両立させることができる。
【００５１】
（第２変形例）
次に本実施形態の第２変形例として、内扉２５の開閉を規制する規制手段を南京錠１０５ａから不図示のラッチレバーに変更した構成について説明する。
【００５２】
第２変形例に係る構成では、画像コントローラ２４側に内扉２５の開放を規制する規制手段、ラッチ部材としてのラッチレバー（不図示）を設け、内扉２５側にラッチレバーが係合する係合部（不図示）を設ける。内扉２５は、係合部にラッチレバーが係合することでラッチ機構によって開放が規制される。
【００５３】
また本実施形態では、ラッチレバーは、画像コントローラ２４に搭載されたＣＰＵから信号が入力されることにより、係合部に係合して内扉２５の開放を規制する規制位置と係合部との係合が解除された解除位置とに自動で移動可能に構成されている。ＣＰＵは、画像形成装置Ａの主電源がオン状態ではラッチレバーを係合部に配置させて内扉２５の開閉を規制し、主電源がオフ状態では解除位置に配置させて内扉２５の開放を許容させる。
【００５４】
これにより画像形成装置Ａの主電源がＯＦＦの状態では外扉１０１と内扉２５が同時開閉されるのに対し、主電源がＯＮの状態では内扉２５の開閉が規制されて外扉１０１のみ開閉される。つまりこのような構成により、ユーザは外扉１０１と内扉２５の二重扉構造において２つの開閉モードを選択することができ、二重扉構造においてセキュリティ性と操作性を両立させることができる。
【００５５】
なお、上記第１実施形態、第１変形例、第２変形例では、記憶装置としてハードディスクドライブ２０を使用したものの、本発明はこれに限られない。すなわち、例えば他のディスク状記憶媒体である光磁気ディスクドライブ（ＭＯ、ＭＤ）や、ＳＳＤ（Ｓｏｌｉｄ  Ｓｔａｔｅ  Ｄｒｉｖｅ）等であっても上記同様の効果を得ることができる。
【００５６】
また上記第１実施形態、第１変形例、第２変形例では、ハードディスクドライブ２０を挿抜する部分を包囲する扉に関して、外扉１０１と内扉２５による二重扉構造を採用したものの、本発明はこれに限られない。すなわち、画像形成装置Ａにおいてセキュリティ性を必要とする部分を内扉２５で包囲し、その内扉２５を外扉１０１で包囲することで、上記同様の効果を得ることができる。
【００５７】
また上記第１実施形態、第１変形例、第２変形例では、外扉１０１を内扉２５に対して連結する第２機構として磁石体１０３を使用した。また内扉２５を画像形成装置Ａ本体に連結する第１機構としてローラキャッチ１０４を使用した。しかし本発明はこれに限られず、他の連結構成を採用しても上記同様の効果を得ることができる。
【００５８】
また外扉１０１および内扉２５の開閉構成も上記構成に限られず、例えば第１実施形態と異なる方向に回動する構成や、スライド式の開閉機構を用いても上記同様の効果を得ることができる。
【符号の説明】
【００５９】
２４…画像コントローラ（制御部）
２５…内扉（第１カバー部材）
１０１…外扉（第２カバー部材）
１０２…孔（取付部）
１０３…磁石体（第２機構）
１０４…ローラキャッチ（第１機構）
１０５ａ…南京錠（規制手段）
１０５ｂ…ビス（規制手段）
１０８ａ…ビス穴（取付部）
１０８ｂ…タップ加工穴（取付部）
Ａ…画像形成装置
【図１】
2018120133.tif 000003
【図２】
2018120133.tif 000004
【図３】
2018120133.tif 000005
【図４】
2018120133.tif 000006
【図５】
2018120133.tif 000007
【図６】
2018120133.tif 000008
【図７】
2018120133.tif 000009